(57)【要約】【課題】食器洗い用の道具と掃除用の道具等を、衛生的な観点から分けて収納できるようにするために複数の収納箇所を備え、しかもシンクの流し面や流し台の天板上に載置しても、その載置面に直接、接触しない構造のシンクに着脱自在に取り付けて使用できる収納ラックを実現する。【解決手段】収納ラック１は、杆状の線材から成り、シンクに着脱自在に取り付けて使用されるワイヤーラックであり、上部収納部２と下部収納部３が一体的に結合し、上部収納部２は、全体的に篭状（袋状）に形成され、下部収納部３は、全体的に平坦な棚部４を構成するように形成されており、上部収納部２及び下部収納部３は、それぞれ、複数の杆状の線材が互いに、溶接で固着して一体的に結合されている。【選択図】図１
2006158414.tif 000002
【特許請求の範囲】
【請求項１】
シンクに着脱自在に取り付けられ、線材で構成される収納ラックにおいて、上下に２つの収納部を備え、上部収納部は線材を篭状に形成して、食器洗い用の物品を収納し、下部収納部は線材を平坦な棚に形成して、掃除用の物品を収納するようにしたことを特徴とする収納ラック。
【請求項２】
請求項１記載の収納ラックであって、前記下部収納部の一部に凹部が形成されていることを特徴とする収納ラック。
【請求項３】
請求項１または２記載の収納ラックであって、前記上部収納部の上方に別の物品収納部を備えていることを特徴とする収納ラック。
【請求項４】
請求項１から３のいずれかに記載の収納ラックであって、前記上部収納部あるいは下部収納部の少なくとも一方に、食器洗い用あるいは掃除用の用途を表示する表示部を備えたことを特徴とする収納ラック。
【発明の詳細な説明】
【技術分野】
【０００１】
本発明は、杆状の線材から成る収納ラックに関し、特に、シンクに着脱自在に取り付けて使用される収納用のワイヤーラックに関する。
【背景技術】
【０００２】
従来、図２（ａ）に示すように、杆状の線材を折り曲げて形成し、シンク１１に着脱可能に装着できる収納ラック４５は知られている。この種のラックに類似するものとして、例えば、流し台のシンクに装着する水切り篭、洗剤収納篭等の水切り収納具、小物入れが公知である（特許文献１、２参照）。
【０００３】
さらに、このような収納具とは別に、あるいは組み合わせてまな板収納部を設けたものは、公知である（特許文献２〜４参照）。さらに、厨房用収納具に布巾掛けとして使用される収納部を設ける構成も公知である（特許文献５参照）。
【特許文献１】特開平１０−１０２５５９号公報
【特許文献２】特開２００１−２１４４８６号公報
【特許文献３】特開２００３−３５４３号公報
【特許文献４】特開２００４−６５５５６号公報
【特許文献５】実開平６−６２８４０号公報
【発明の開示】
【発明が解決しようとする課題】
【０００４】
シンクに装着される従来の収納具は、収納箇所が一箇所であるために、例えば、食器洗い用の道具と掃除用の道具を同じ場所に収納することとなり、衛生的に良い状態での収納が出来なかった。
【０００５】
また、シンクに装着する収納具は、シンクの流し面や流し台の天板上に仮置き等のために載置することを想定していないために、シンクの流し面や流し台の天板上に仮置きした場合に、収納部の形状や収納物の収納状態によっては、収納具の安定して起立せず倒れたりすることもあり、しかも収納部の底が載置面に直接、接触するために、衛生的に好ましくないという問題があった。
【０００６】
本発明は、上記従来の問題を解決することを目的とするものであり、その課題は、食器洗い用の道具と掃除用の道具等を、衛生的な観点から分けて収納できるようにするために複数の収納箇所を備えて成り、しかもシンクの流し面や流し台の天板上に載置しても、その載置面に直接、接触しない構造のシンクに着脱自在に取り付けて使用できる収納ラックを実現することである。
【課題を解決するための手段】
【０００７】
本発明は上記課題を解決するために、シンクに着脱自在に取り付けられ、線材で構成される収納ラックにおいて、上下に２つの収納部を備え、上部収納部は線材を篭状に形成して、食器洗い用の物品を収納し、下部収納部は線材を平坦な棚に形成して、掃除用の物品を収納するようにしたことを特徴とする収納ラックを提供する。
【０００８】
前記下部収納部の一部に凹部が形成されている構成としてもよい。
【０００９】
前記上部収納部の上方に別の物品収納部を備えている構成としてもよい。
【００１０】
前記上部収納部あるいは下部収納部の少なくとも一方に、食器洗い用あるいは掃除用の用途を表示する表示部を備えた構成としてもよい。
【発明の効果】
【００１１】
本発明に係る収納ラックによれば、次のような顕著な効果が生じる。
（１）本発明の収納ラックは、上下の収納部を備えて成るから、食器洗い用の道具と掃除用の道具等を、衛生的な観点から分けて収納できる。
【００１２】
（２）収納ラックの下部収納部は、底部前後に脚部を有するから、シンクの流し面や流し台の天板上に仮置きのために載置しても、収納ラックが倒れないで安定した状態で載置できる。特に、本発明のように上下に収納部を設けるという点では不安定要素が増す構造であっても、シンクの流し面や流し台の天板上に安定した状態で仮置きすることができる。しかも、下部収納部の棚部が載置面に直接、接触しないので、衛生的に良い状態での収納が出来、安定性と衛生上の相乗的な効果が生じる。
【００１３】
（３）下部収納部は、その前脚部が凹部として形成されているために、下部収納部に収納した収納物が手前側にずれ落ちそうになっても落下を防止でき、しかも、この凹部にも棒状の物品等を収納することもできる。さらに収納ラックを壁面に取り付けて使用する場合は、この凹部をフックとして使用でき、物品を吊持することも可能である。
【発明を実施するための最良の形態】
【００１４】
本発明に係る収納ラックを実施するための最良の形態を実施例に基づき図面を参照して、以下説明する。
【実施例１】
【００１５】
図１（ａ）は、本発明に係る収納ラックの実施例１の全体構造を示す斜視図であり、図１（ｂ）は、実施例１の変形例を示す斜視図である。実施例１の収納ラック１は、杆状の線材から成り、流し台等のシンクに着脱自在に取り付けて使用可能なワイヤーラックである。
【００１６】
図１（ａ）に示すように、実施例１の収納ラック１は、上部収納部２と下部収納部３が一体的に結合して構成される。上部収納部２は、全体的に篭状（袋状）に形成されている。下部収納部３は、全体的に平坦な棚部４を構成するように形成されている。上部収納部２及び下部収納部３は、それぞれ複数の杆状の線材が互いに、例えば、溶接で固着（これを「溶着」という。）して一体的に結合されている。
【００１７】
上部収納部２は、開口枠５、複数の収納用支持杆６及び収納用補強杆７から構成されている。開口枠５は、この収納ラック１の上方への開口を形成するとともに、収納ラック１の上部の枠としての補強を兼ねるものである。この実施例１の開口枠５は、背面側の後枠部８、前面側の前枠部９及び左右の側枠部１０とから一体的に成り、平面図で見て矩形に形成されている。なお、本明細書では、収納ラック１をシンクに装着した状態における手前側（使用者側）を前側とし、背面側（使用者と反対側）を後側として説明する。
【００１８】
図２（ｂ）は、収納ラック１をシンクに装着した状態を示す。収納ラック１は、シンク１１の側壁に形成された凹所１２に装着されるものであるが、その際、凹所１２の上面に付設された係合ピン１３に引っ掛けると確実に装着できる。開口枠５は、凹所１２の平面形状に対応してその平面形状が適宜形成される。この実施例１の場合は、上記のとおり平面図で見て矩形状に形成されているが、特に矩形でなくても楕円形、円、半円形等でもよい。                              
【００１９】
複数の収納用支持杆６は、図１（ａ）に示すように、杆状の線材から全体的にＵ型に形成され、底部１４、前部１５及び背部１６から一体的に構成されている。そして、複数の収納用支持杆６は、それぞれ前後方向に向けて、且つ互いに横方向（左右方向）に等間隔をあけて配置され、前部１５及び背部１６の上端が開口枠５の前枠部９及び後枠部８に、溶着等で一体的に結合されている。
【００２０】
収納用補強杆７は、底部１７及び左右側部１８からなるＵ字状の杆材から形成されている。収納用補強杆７は、その底部１７が左右方向に向き、複数の収納用支持杆６と下面又は上面から当接して交叉するように配置されている。即ち、収納用補強杆７は、前後方向に配置された複数の収納用支持杆６の底部１４に対して横方向に横切るように固定される。
【００２１】
そして、収納用補強杆７と複数の収納用支持杆６の底部１４との交叉部は、溶着等で結合される。さらに、収納用補強杆７の左右側部１８の上端は、開口枠５の左右の側枠部１０に溶着等で一体的に結合されている。これにより、複数の収納用支持杆６と収納用補強杆７が互いに一体的に結合されて、上部収納部２が篭状に形成される。なお、本実施例では、収納用補強杆７は１本としたが、複数本設けてもよい。
【００２２】
下部収納部３は、左右一対の支持脚杆１９と、複数の棚杆２０とから構成される。左右の支持脚杆１９は、それぞれ起立部２１、後脚部２２、棚用支持部２３及び前脚部２４が連続的に一体となって形成された１本の杆状の線材から成る。左右の支持脚杆１９の起立部２１は、その上端が、上部収納部２に結合されている。この実施例１では、左右の支持脚杆１９の起立部２１の上端が、上部収納部２の左右側にある収納用支持杆６の底部１４に溶着等で結合されている。これにより、上部収納部２と下部収納部３が一体的に結合されている。
【００２３】
左右の棚用支持部２３は、それぞれ前後方向に向けてほぼ水平に延びるように配置されており、後端に後脚部２２が、前端に前脚部２４がそれぞれ連成されている。複数本の棚杆２０は、前後方向に互いに間隔をあけて、それぞれ左右の棚用支持部２３の間に横方向に延びるように架け渡されて配置されおり、棚用支持部２３に溶着等で結合されている。これにより、複数の棚杆２０は、全体的に平坦な棚部４を構成している。
【００２４】
左右の後脚部２２及び前脚部２４は凹部として形成されており、収納ラック１をシンク１１の流し面（底面）や流し台の天板上に載置しても、左右の後脚部２２及び前脚部２４が流し面や天板に当接し、棚用支持部２３及び棚杆２０が直接にシンク１１に接触しないように構成されている。このため、収納ラック１は上下２段の収納部を備えて一見不安定な構造であるにもかかわらず、安定して起立可能であり、しかも収納ラック１をシンク１１の流し面や天板上に仮置きしても、収納物がシンク１１の流し面や天板表面に接触しないので衛生的である。
【００２５】
又、左右の前脚部２４は、棒状の物品（例．掃除用ブラシ等）を支持して収納したり、あるいは棚杆２０上に載置した物品が手前側にずれて落下することを防止する機能を有する。さらに、前脚部２４は、物（例．金タワシ等）を引っかけて吊るフックとしての機能も有する（図３（ａ）参照）。
【００２６】
図１（ｂ）に示す実施例１の変形例の収納ラック１’は、実施例１とほぼ同じ構成であるが、下部収納部３の一部が異なる。この変形例の収納ラック１’では、下部収納部３の前脚部２４は実施例１と同じ構成であるが、左右の下部収納部３の前脚部２４の前端上部の間に棚杆（前端棚杆２５）が架け渡されて溶着等で結合されている。変形例の収納ラック１の前脚部２４及び前端棚杆２５の機能は、実施例１と同様に棒状物品の収納及び落下防止機能、さらにフックとしての機能を有する。また、変形例の収納ラック１’は、前端棚杆２５があるため、使用者が前脚部２４の上端（図１（ａ）参照）に手指を引っ掛けて怪我等するおそれが少ないという効果がある。
【００２７】
（作用）
実施例１の収納ラック１をシンク１１に装着して使用する際には、図２（ｂ）に示すように、シンク１１の凹所１２の上面に突設された係合ピン１３に開口枠５の角部を係合して上面に載置する。このように装着すると、下部収納部３の支持脚杆１９はシンク１１の流し面には接触せず吊られた状態である。
【００２８】
図３（ａ）は、実施例１に物品を収納した状態を説明する図であり、例えば、上部収納部２には、食器洗い用の洗剤２６やスポンジ２７等を収納し、下部収納部３には、シンク１１等の掃除用のスポンジ２８等の物品を収納する。又、左右の前脚部２４には、掃除用ブラシ２９等の棒状の物品を収納したり、たわし等を引っ掛けたり、さらに棚部４上に載置した物品を受け止めて手前側に落下することを防止する機能も有する。
【００２９】
ところで、シンク１１に装着する従来の収納ラックは、シンク１１の流し面や流し台の天板上に載置することを想定していない構造として形成されているために、収納ラックをシンク１１からとりはずして、例えば、シンク１１の流し面上、又は流し台の天板上に仮置きすると、安定性が悪く、定置できず倒れたりした。さらに、収納部の底が載置面に直接、接触するために、衛生的に好ましくないという問題があった。
【００３０】
しかし、本発明では、左右の後脚部２２及び前脚部２４がシンク１１の流し面又は天板上に当接されるために、上下の収納部２、３を設けても、倒れるようなことなくしっかりと安定して定置でき、しかも、棚用支持部２３及び棚杆２０が直接にシンク１１に接触せず、棚部４に載置された収納物がシンク１１に接しないので衛生的である。
【００３１】
なお、収納ラック１は、つり下げボード等の壁面に吊って使用してもよい。その場合は、前脚部２４は、物品吊り用のフックとして使用可能である。以上、実施例１の作用を説明したが、変形例の収納ラック１についても全く同様に使用可能である。
【実施例２】
【００３２】
図４（ａ）は、本発明に係る収納ラック１の実施例２を説明する斜視図である。この実施例２の収納ラック３０は、実施例１とほぼ同じであるが、上部収納部２の上方に、まな板ラック３１が一体的に付設されている構成を特徴とする。このまな板ラック３１は、開口枠５の後枠部８から上方に延びるように設けられた左右一対の支柱３２の上端に溶着等で一体的に固定されて設けられている。
【００３３】
まな板ラック３１は、左右の載置杆３３と、この左右の載置杆３３の背面側の端部を橋絡する後部Ｕ字杆３４と、この左右の載置杆３３の前面側の端部を橋絡する前部Ｕ字杆３５とから一体で構成されている。使用に際しては、まな板３６は、図４（ａ）に想像線で示すように載置することができる。後部Ｕ字杆３４と前部Ｕ字杆３５は、まな板３６を前後から支持して倒れないようにすることができる。
【実施例３】
【００３４】
図４（ｂ）は、本発明に係る収納ラック１の実施例３を説明する斜視図である。この実施例３の収納ラック３７は、実施例１とほぼ同じであるが、上部収納部２及び下部収納部３の両方又はその一方の前面側にそれぞれの収納用途、例えば、「食器洗い用」、或いは「掃除用」等の文字を表示する表示部（表示板）３８を着脱自在に付設してなる構成を特徴とするものである。
【００３５】
表示部３８は、例えば、樹脂製のプレート等で形成され、その上端にはフック３９が設けられている。このフック３９を、上部収納部２の前枠部９又は下部収納部３の前端棚杆２５に引っ掛けて、簡単に着脱可能な構成とする。このような表示部３８を取り付けた構成とすれば、掃除用のスポンジを食器洗い用の収納部に間違えて収納する等、別の用途の収納部に物品を収納することが防止できるので、きわめて衛生的である。
【実施例４】
【００３６】
図５は、本発明に係る収納ラックの実施例４を説明する斜視図である。この実施例４の収納ラック４０は、実施例１とほぼ同じであるが、上部収納部２の上方にクロス掛け４１が一体的に設けられた構成を特徴とする。このクロス掛け４１は、開口枠５の背面部から上方に延びるように設けられた左右一対の側枠４２と、左右の側枠４２の間に水平に架設された複数本の水平杆４３とから一体的に構成されている。
【００３７】
左右の側枠４２は、その下端を開口枠５の後枠部８に溶着等して上方に延びるように取り付けてもよいが、下部収納部３の左右の支持脚杆１９を上方に延ばして開口枠５の背面部に交叉して溶着した延長部分を利用する構成としてもよい。水平杆４３は、その両端を左右の側枠４２に溶着等して一体的に結合する。このクロス掛け４１の使用に際しては、想像線に示すように、クロスや布巾４４等を水平杆４３に掛けることができる。
【００３８】
以上、本発明に係る収納ラックを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３９】
以上、本発明に係る収納ラックを説明したが、このような構成のラックは、流し台等のシンク装着用だけでなく、洗面所、浴室壁にも適用することもできる。
【図面の簡単な説明】
【００４０】
【図１】（ａ）は本発明に係る収納ラックの実施例１の全体構成を示す斜視図であり、（ｂ）はその変形例を示す斜視図である。
【図２】（ａ）は従来の収納ラックをシンクに装着した状態を示す図であり、（ｂ）は実施例１の収納ラックをシンクに装着した状態を示す図である。
【図３】（ａ）は本発明に係る収納ラックの実施例１及び変形例の物品収納状態を示す図である。
【図４】（ａ）は本発明に係る収納ラックの実施例２の全体構成を示す斜視図であり、（ｂ）は本発明に係る収納ラックの実施例３の全体構成を示す斜視図である。
【図５】本発明に係る収納ラックの実施例４の全体構成を示す視図である。
【符号の説明】
【００４１】
１  収納ラック
１’実施例１の変形例の収納ラック                         
２  上部収納部                         
３  下部収納部                         
４  棚部                               
５  開口枠                             
６  収納用支持杆                       
７  収納用補強杆                       
８  後枠部                             
９  前枠部                             
１０  側枠部                                         
１１  シンク                                         
１２  シンクの凹所                                   
１３  係合ピン                                       
１４  収納用支持杆の底部                             
１５  収納用支持杆の前部                             
１６  収納用支持杆背部                               
１７  収納用補強杆の底部                             
１８  収納用補強杆の左右側部                         
１９  支持脚杆                                       
２０  複数の棚杆                                     
２１  支持脚杆の起立部                           
２２  支持脚杆の後脚部                           
２３  支持脚杆の棚用支持部                       
２４  支持脚杆の前脚部                           
２５  前端棚杆                                       
２６  食器洗い用の洗剤                               
２７  スポンジ
２８  掃除用のスポンジ                         
２９  掃除用ブラシ                                       
３０  実施例２の収納ラック                           
３１  まな板ラック                                   
３２  まな板ラックの支柱                             
３３  まな板ラックの左右の載置杆                     
３４  まな板ラックの後部Ｕ字杆                       
３５  前部Ｕ字杆                                     
３６  まな板                                         
３７  実施例３収納ラック                             
３８  表示部                                         
３９  フック                                         
４０  実施例４の収納ラック                           
４１  クロス掛け                                     
４２  側枠                                           
４３  水平杆                                         
４４  クロスや布巾                                           
【図１】
2006158414.tif 000003
【図２】
2006158414.tif 000004
【図３】
2006158414.tif 000005
【図４】
2006158414.tif 000006
【図５】
2006158414.tif 000007